(57)【要約】【課題】水槽内のカゴに付着器を収容し、その付着器を暗く保ちながら垂直方向に広げ、アワビの生育環境を整え、単位面積当たりの飼育密度を向上させる。【解決手段】アワビ飼育用の水槽１と、その水槽１内に配置されて、アワビを分別して収容するカゴ２と、そのカゴ２内に設置される付着器４とを備えたアワビの立体型高密度飼育装置であって、前記付着器４は合成樹脂製の板を垂直方向に所定間隔で並立させ、その板面にアワビの徘徊孔７を備え、付着器４上面に蓋を備えている。【選択図】        図１
2004290040.tif 000002
【特許請求の範囲】
【請求項１】
アワビ飼育用の水槽と、その水槽内に配置されて、アワビを分別して収容するカゴと、そのカゴ内に設置される付着器とを備えたアワビの立体型高密度飼育装置であって、
前記付着器は合成樹脂製の板を垂直方向に所定間隔で並立させ、その板面にアワビの徘徊孔を備えたことを特徴とするアワビの立体型高密度飼育装置。
【請求項２】
アワビの生育環境を暗くするために付着器上面に蓋を配置したことを特徴とする請求項１記載のアワビの立体型高密度飼育装置。
【請求項３】
前記垂直方向に並立させた板間に、板面から壁を突設して凹凸を形成したことを特徴とする請求項１記載のアワビの立体型高密度飼育装置。
【請求項４】
前記壁の先端と、対面する板面との間にアワビの徘徊隙間を形成したことを特徴とする請求項３記載のアワビの立体型高密度飼育装置。
【発明の詳細な説明】
【０００１】
【発明の属する技術分野】
本発明は、アワビの立体型高密度飼育装置に関し、特に、水槽内のカゴに付着器を収容し、その付着器を暗く保ちながらアワビの生育環境を整え、単位面積当たりの飼育密度を向上させるアワビの立体型高密度飼育装置に関する。
【０００２】
【従来の技術】
従来、アワビの飼育方法の一つとして、海洋に設置した生簀で殻長１０ｍｍの種苗を天然生海藻を飼料として１年程度育成し、殻長３０ｍｍ程度まで飼育し、その後、海へ放流する体制をとっている。
しかし、近年の天然の磯漁場では藻場の減少、餌料の海藻類の不足、防疫の困難さなどから、その継続が困難になってきている。
これらの課題を解決するため、陸上水槽を用いた飼育体制への転換が求められている。
そこで、アワビの飼育には、図８に示すような波型の凹凸部を有する付着器２０を水槽へ沈めてアワビを増殖させる方法が採用されている。
また、このようなアワビの立体型高密度飼育装置に関する技術として特開平１０−１４６１３８号公報記載の技術が知られている。
【０００３】
【特許文献１】
特開平１０−１４６１３８号公報
【０００４】
【発明が解決しようとする課題】
しかしながら、前記図８の付着器２０を使用する方法では、アワビは波型の凹凸部の内側と水槽のコーナー部に付着が集中することから、飼育密度を低くしないと十分な成長が得られないという問題があった。
特に、クロアワビは環境やストレスに敏感で、波型の漁礁では大量に飼育することが非常に困難であった。
本発明は係る従来の問題点を解決するためになされたものであって、その目的とするところは、水槽内のカゴに付着器を収容し、その付着器を暗く保ちながら垂直方向に広げ、アワビの生育環境を整え、単位面積当たりの飼育密度を向上させるアワビの立体型高密度飼育装置を提供することにある。
【０００５】
【課題を解決するための手段】
前記目的を達成するための手段として本発明請求項１記載のアワビの立体型高密度飼育装置では、アワビ飼育用の水槽と、その水槽内に配置されて、アワビを分別して収容するカゴと、そのカゴ内に設置される付着器とを備えたアワビの立体型高密度飼育装置であって、前記付着器は合成樹脂製の板を垂直方向に所定間隔で並立させ、その板面にアワビの徘徊孔を備えている。
【０００６】
請求項２記載のアワビの立体型高密度飼育装置では、請求項１記載のアワビの立体型高密度飼育装置において、アワビの生育環境を暗くするために付着器上面に蓋を配置した。
【０００７】
請求項３記載のアワビの立体型高密度飼育装置では、請求項１記載のアワビの立体型高密度飼育装置において、前記垂直方向に並立させた板間に、板面から壁を突設して凹凸を形成した。
【０００８】
請求項４記載のアワビの立体型高密度飼育装置では、請求項３記載のアワビの立体型高密度飼育装置において、前記壁の先端と、対面する板面との間にアワビの徘徊隙間を形成した。
【０００９】
【発明の実施の形態】
以下図面に基づいて本発明の実施の形態を説明する。
本発明の一実施の形態に係るアワビの立体型高密度飼育装置Ａは図１に示すように、海水を貯留する水槽１と、水槽１内に吊り下げた状態で設置する複数のカゴ２と、カゴ２内に収容してアワビ３を付着させる付着器４を主要な構成としている。
一例として、前記水槽１は１．２ｔ型ＦＲＰ角型水槽で、縦横数ｍ、深さ数十ｃｍの構成である。底部分の両隅辺には図示しないエアー供給パイプが挿通され、パイプには所定間隔で孔が形成されて、ポンプによって加圧されたエアーがこの孔から噴出するようになっている。
このエアレーション装置によって、水槽１内に緩やかな対流が生じ、カゴ内の水の交換が行われ、残餌は下に落ち、カゴ内はきれいな状態に保たれる。
【００１０】
前記カゴ２は縦４５ｃｍ、横９０ｃｍ、深さ４５ｃｍの形状であり、金網、樹脂網等によって構成されている。一例として、目合い４ｍｍのネトロンネットで作成したものを使用する。このカゴ２は付着器及びアワビ３を収容するものであるが、網目の大きさは収容するアワビの大きさによって設定し、カゴ内のアワビが外に移動しない構成のものを使用する。
各カゴにはアワビの成長段階のほぼ同一のものを収容する。
前記カゴ２は水槽１の上端に掛止されて、上から吊り下げられ、水層の底から一定の高さが保たれている。
【００１１】
前記付着器４は図２に示すように、多数の平板５を垂直に配置し、所定間隔で重ね合わせたものであり、四隅に挿通された固定軸６と、その固定軸６にスペーサー８を介して所定間隔で保持された板５によって構成されている。
前記板５は固定軸６に挿通配置されたスペーサー８によって、板５同士の間が１５ｍｍに保持されている。
前記板５は金属、セラミック、合成樹脂等によって構成されるが、軽量性、防腐食性の観点から、塩化ビニル、ポリエチレン、ポリプロピレン製を使用するのが好ましい。また、色については、クロアワビは暗所を好むことから黒色板が好ましい。
前記付着器４の板５はアワビが付着して成長する部分であり、板５の間隔（スペーサーの幅）はアワビの成長段階によって設定し、間隔は１５ｍｍ〜３０ｍｍとする。
この板５同士の間隔は両側の板のアワビが互いに離合できる間隔とし、収容したアワビの殻高の２倍とする。例えば、殻高１０ｍｍのアワビを収容する場合には、板の間隔を２０ｍｍとすれば、アワビが自由に離合できる。
また、板５の中央部分には円形の開口が形成され、アワビの徘徊孔７となっている。
【００１２】
前記アワビの立体型高密度飼育装置Ａのカゴ２にクロアワビを入れると、クロアワビは暗所を好むため板の隙間に入って成長する。このような状態で殻長３０ｍｍ〜４０ｍｍ程度に達するまで、給餌しながら飼育を行い、成長後は放流、または別装置に移送して飼育を行う。最終的には７０ｍｍ〜８０ｍｍの出荷可能な大きさまで成長させても良い。
本実施の形態では、カゴ２ごとに成長の異なるアクロワビを収容して分別して飼育することができ、成長段階に応じて効率的に飼育を行うことができる。
残餌、配設物等はカゴ２から下へ落ちるためクロアワビの生育環境も常にきれいに保たれる。
また、クロアワビの徘徊孔７が形成されているので、板５間を自由に行き来して餌の摂取を行うことができる。
【００１３】
尚、付着器４内部を暗くするために、上部に１ｍｍ厚の塩化ビニル板を配置することにより、遮光されて付着器が暗い状態に保たれて、クロアワビに好適な生育環境が保たれる。
また、水槽１の底には数匹のアワビを入れておくことにより、カゴからこぼれ落ちて水槽の底に堆積した餌の処理がなされる。
【００１４】
次に、図３〜図７は実施の形態２に係るアワビの立体型高密度飼育装置である。
実施の形態２に係るアワビの立体型高密度飼育装置は、前記実施の形態で説明した付着器４において、その板５の形状を変化させたものである。そして、その構成は、垂直に配置する板１０に複数の徘徊孔１１を形成すると共に、垂直板１０面から横に壁１２，１３を突設し、それらの板１０を複数枚重ねて並立させている。
前記板１０面には、正方形の開口の一角を円弧状に陥入させた徘徊孔１１が多数形成され、それらの徘徊孔１１が４個集まって、その中心に円筒１４が配置されている。
そして、それらの円筒１４が８箇所に渡って形成されている。
また、板１０面には２本の横壁１２と、４本の縦壁１３が突設され、それらが板１０面を交差して通過し、横壁１２・縦壁１３によって囲いが形成されている。
【００１５】
また、板１０の両端の２個の円筒には固定軸１５が挿通され、この軸が板を貫通し、板１０同士が連結されて並立するようになっている。
前記円筒１４の先端は隣接する板１０に当接して板１０同士の間隔が保持されるのであるが、壁１２，１３の先はその円筒よりもやや低く形成されている。これは、板１０を重ねあわせた時に、対面する板１０との間に徘徊隙間が生じ、その隙間をアワビが通過できるようにするためである。
【００１６】
本実施の形態の付着器４ａでは縦・横に通過する壁１２，１３によって、板間にアワビの隠れるスペースが形成され、夜行性であるアワビにとって良好な生育環境が形成される。
特に、クロアワビは負の走光性が極めて強いため、形状が複雑で陰影が十分確保できる実施の形態２の付着器では、その効果が大きい。
また、水平方向に伸びる壁は散布した餌を滞留させる棚の役割も有し、アワビが餌を摂取しやすい環境が形成される。
尚、付着器４ａ内部を暗くするために、その上部に１ｍｍ厚の塩化ビニル板を配置することにより、遮光されて付着器が暗い状態に保たれて、クロアワビに好適な生育環境が保たれる。
【００１７】
以上本発明を説明したが、本発明の具体的構成は本実施の形態に限定されるものではなく、発明の要旨を逸脱しない範囲の設計変更等があっても本発明に含まれる。
例えば、本実施の形態ではクロアワビについて説明したが、エゾアワビ、マダカアワビ、メガイアワビ等に適用することも可能である。
【００１８】
【発明の効果】
以上説明したように、請求項１記載のアワビの立体型高密度飼育装置においては、水槽内のカゴにアワビを分別収容して飼育を行うので、カゴ単位でアワビの成長段階を分けて、それに応じて飼育を行うことができる。
また、水中のカゴに入れるので、残餌、配設物等はカゴから下へ落ちるためクロアワビの生育環境も常にきれいに保たれる。
そして、付着器を使用するので、アワビの付着面積を広く確保することができ、大量飼育を行うことができる。
水槽の壁面にアワビが付着しないので、水槽の掃除も定期的に容易に行うことができる。
【００１９】
請求項２記載のアワビの立体型高密度飼育装置においては、付着器上面に蓋を配置するので、アワビの生育環境が暗く保たれ、負の走光性を有するクロアワビにとって、良好な生育環境が形成される。
【００２０】
請求項３記載のアワビの立体型高密度飼育装置においては、垂直方向に並立させた板間に、板面から壁を突設して凹凸を形成したので、アワビにとって隠れるスペースが形成され、アワビにストレスを与えない生育環境が形成される。
【００２１】
請求項４記載のアワビの立体型高密度飼育装置においては、壁の先端と、対面する板面との間にアワビの徘徊隙間を形成したので、アワビの移動用の通路が確保され、自由に移動して餌を摂取することができる。
【図面の簡単な説明】
【図１】水槽の側面図である。
【図２】実施の形態１に係る付着器の斜視図である。
【図３】実施の形態２に係る付着器の斜視図である。
【図４】実施の形態２に係る付着器の板の平面図である。
【図５】実施の形態２に係る付着器の板の正面図である。
【図６】実施の形態２に係る付着器の板の側面図である。
【図７】実施の形態２に係る付着器の構成を示す説明図である。
【図８】従来例に係るアワビの立体型高密度飼育装置の説明図である。
【符号の説明】
Ａ  アワビの立体型高密度飼育装置
１  水槽
２  カゴ
３  アワビ
４  付着器
４ａ  付着器
５  板
６  固定軸
７  徘徊孔
８  スペーサー
１０  板
１１  徘徊孔
１２  壁
１３  壁
１４  円筒
１５  固定軸
２０  付着器
【図１】
2004290040.tif 000003
【図２】
2004290040.tif 000004
【図３】
2004290040.tif 000005
【図４】
2004290040.tif 000006
【図５】
2004290040.tif 000007
【図６】
2004290040.tif 000008
【図７】
2004290040.tif 000009
【図８】
2004290040.tif 000010